(57)【要約】【課題】本体部の上面に開口した縦型チャンバーを開閉する蓋が、本体部の上面に一端を横方向回動可能に支持したアームに対し、上下動可能に螺旋結合したハンドル軸の回転によって上下に開閉するよう構成した蒸気滅菌器において、チャンバー内の圧力が高い状態で、不用意なハンドル操作によって蓋が開かれないようにするための安全装置を提供する。【解決手段】非通電にて突出し通電にて退避するロックピンの突出にてハンドルの回転を阻止するロックソレノイド装置を備え、蓋がチャンバーの開口を密閉した状態において、ロックソレノイド装置の非通電によるロックピンの突出にて、蓋を開く方向へのハンドルの回転が阻止すること。【選択図】図１
2011000360.tif 000002
【特許請求の範囲】
【請求項１】
本体部の上面に開口した縦型チャンバーと、前記開口周縁部に密着する環状パッキンを
備えて前記開口を開閉する蓋と、前記本体部の上面に前記開口を挟む位置に支持部と抑え
部が配置され自由端が前記抑え部に対して上下動可能になるよう他端部が前記支持部に横
方向回動可能に支持されたアームと、上端部にハンドルを備え下端部に前記蓋を支持し中
間部に形成した螺子部が前記アームを上下に貫通形成した螺子部に螺合するハンドル軸を
有し、前記ハンドルの回転に伴う前記ハンドル軸の回転によって生じる前記アームの自由
端の上動が前記抑え部により制限されると共に前記蓋の下動により前記開口が密閉され、
前記チャンバー内で被滅菌物を蒸気にて滅菌する蒸気滅菌器において、
非通電にて突出し通電にて退避するロックピンを備え前記ロックピンの突出にて前記ハ
ンドルの回転を阻止するロックソレノイド装置を備え、
前記蓋が前記開口を密閉した状態において、前記ロックソレノイド装置の非通電による
前記ロックピンの突出にて、前記蓋を開く方向への前記ハンドルの回転が阻止されること
を特徴とする蒸気滅菌器。
【請求項２】
本体部の上面に開口した縦型チャンバーと、前記開口周縁部に密着する環状パッキンを
備えて前記開口を開閉する蓋と、前記本体部の上面に前記開口を挟む位置に支持部と抑え
部が配置され自由端が前記抑え部に対して上下動可能になるよう他端部が前記支持部に横
方向回動可能に支持されたアームと、上端部にハンドルを備え下端部に前記蓋を支持し中
間部に形成した螺子部が前記アームを上下に貫通形成した螺子部に螺合するハンドル軸を
有し、前記ハンドルの回転に伴う前記ハンドル軸の回転によって生じる前記アームの自由
端の上動が前記抑え部により制限されると共に前記蓋の下動により前記開口が密閉され、
前記チャンバー内で被滅菌物を蒸気にて滅菌する蒸気滅菌器において、
前記支持部を中心とした前記アームの横方向回動により前記蓋が前記開口の上方位置に
あることを検出する第１検出スイッチと、
前記抑え部に設けられ前記アームの自由端の上動位置を検出する第２検出スイッチと、
非通電にて突出し通電にて退避するロックピンの作用にて前記蓋が前記開口を密閉した
状態に前記ハンドルの回転を阻止するロックソレノイド装置とを備え、
前記蓋が前記開口を外れた位置から前記開口の上方位置へ移動したことを前記第１検出
スイッチが検出し、前記アームの自由端の上動位置を前記第２検出スイッチが検出した状
態で前記ロックソレノイド装置を非通電とすることで、前記ロックピンの突出にて前記ハ
ンドルの回転を阻止し前記蓋が前記開口を密閉した状態に維持されることを特徴とする蒸
気滅菌器。
【請求項３】
本体部の上面に開口した縦型チャンバーと、前記開口周縁部に密着する環状パッキンを
備えて前記開口を開閉する蓋と、前記本体部の上面に前記開口を挟む位置に支持部と抑え
部が配置され自由端が前記抑え部に対して上下動可能になるよう他端部が前記支持部に横
方向回動可能に支持されたアームと、上端部にハンドルを備え下端部に前記蓋を支持し中
間部に形成した螺子部が前記アームを上下に貫通形成した螺子部に螺合するハンドル軸を
有し、前記ハンドルの回転に伴う前記ハンドル軸の回転によって生じる前記アームの自由
端の上動が前記抑え部により制限されると共に前記蓋の下動により前記開口が密閉され、
前記チャンバー内で被滅菌物を蒸気にて滅菌する蒸気滅菌器において、
前記支持部を中心とした前記アームの横方向回動により前記蓋が前記開口の上方位置に
あることを検出する第１検出スイッチと、
前記抑え部に設けられ前記アームの自由端の上動位置を検出する第２検出スイッチと、
非通電にて突出し通電にて退避するロックピンの作用にて前記蓋が前記開口を密閉した
状態に前記ハンドルの回転を阻止するロックソレノイド装置と、
前記ロックピンの作動を検出する第３検出スイッチとを備え、
前記蓋が前記開口を外れた位置から前記開口の上方位置へ移動したことを前記第１検出
スイッチが検出し、前記アームの自由端の上動位置を前記第２検出スイッチが検出した状
態で滅菌動作開始スイッチの作動により前記ロックソレノイド装置が非通電となり前記ロ
ックピンの突出にて前記ハンドルの回転が阻止されて前記蓋が前記開口を密閉した状態に
維持され、
前記ロックピンの突出にて前記第３検出スイッチが作動して滅菌動作がスタートするこ
とを特徴とする蒸気滅菌器。
【請求項４】
本体部の上面に開口した縦型チャンバーと、前記開口周縁部に密着する環状パッキンを
備えて前記開口を開閉する蓋と、前記本体部の上面に前記開口を挟む位置に支持部と抑え
部が配置され、自由端が前記抑え部に対して上下動可能になるよう他端部が前記支持部に
横方向回動可能に支持されたアームと、上端部にハンドルを備え下端部に前記蓋を支持し
中間部に形成した螺子部が前記アームを上下に貫通形成した螺子部に螺合するハンドル軸
を有し、前記ハンドルの回転に伴う前記ハンドル軸の回転によって生じる前記アームの自
由端の上動が前記抑え部により制限されると共に前記蓋の下動により前記開口が密閉され
、前記チャンバー内で被滅菌物を蒸気にて滅菌する蒸気滅菌器において、
前記支持部を中心とした前記アームの横方向回動により前記蓋が前記開口の上方位置に
あることを検出する第１検出スイッチと、
前記抑え部に設けられ前記アームの自由端の上動位置を検出する第２検出スイッチと、
非通電にて突出し通電にて退避するロックピンの作用にて前記蓋が前記開口を密閉した
状態に前記ハンドルの回転を阻止するロックソレノイド装置と、
前記ロックピンの作動を検出する第３検出スイッチと、
前記チャンバー内の圧力検知部を備え、
前記ロックソレノイド装置は前記蒸気滅菌器の電源投入にて通電されて前記ロックピン
が退避した状態であり、
前記蓋が前記開口を外れた位置から前記開口の上方位置へ移動したことを前記第１検出
スイッチが検出し、前記アームの自由端の上動位置を前記第２検出スイッチが検出した状
態で滅菌動作スタートスイッチの作動により前記ロックソレノイド装置が非通電となり前
記ロックピンの突出にて前記ハンドルの回転が阻止されて前記蓋が前記開口を密閉した状
態に維持され、
前記ロックピンの突出にて前記第３検出スイッチが作動して滅菌動作がスタートし、
滅菌動作終了に伴う前記チャンバー内の圧力低下が前記圧力検知部により検出されたと
き、前記ロックソレノイド装置の通電にて前記ロックピンが退避して前記ハンドルを回転
可能状態とすることを特徴とする蒸気滅菌器。
【発明の詳細な説明】
【技術分野】
【０００１】
本発明は、主として病院等に設置して医療用器具等の被滅菌物を高温高圧蒸気下で滅菌
する蒸気滅菌器に関し、特に、本体部の上面に開口した縦型チャンバーを開閉する蓋の密
閉保持装置に関する。
【背景技術】
【０００２】
本体部の上面に開口した縦型チャンバーを蓋で開閉する蒸気滅菌器において、前記本体
部の上面に前記開口を挟む位置に支持部と抑え部が配置され一端部が前記抑え部に対して
上下動可能なるよう他端部が前記支持部に左右方向回動可能に支持されたアームと、上端
部にハンドルを備え下端部に前記蓋を回転可能に支持し中間部に形成した雄螺旋が前記ア
ームを上下に貫通する雌螺旋部に螺合するハンドル軸を有し、前記ハンドルによる前記ハ
ンドル軸の回転によって前記抑え部に対する前記アームの一端部の上動制限と共に前記蓋
の下動により前記開口が密閉され、前記チャンバー内で被滅菌物を蒸気にて滅菌するもの
がある。（特許文献１参照）。
【先行技術文献】
【特許文献】
【０００３】
【特許文献１】特開平１１−２７６５５７号公報
【発明の概要】
【発明が解決しようとする課題】
【０００４】
この特許文献１のものは、蓋の裏側に設けた環状パッキンが外れたときの安全策に係る
技術である。しかし、滅菌動作中または滅菌動作終了直後に、ハンドルの操作によって蓋
を開けば、チャンバー内の上昇した圧力によって高温蒸気が流出し危険であるが、これを
防止する技術については記載されていない。
【０００５】
本発明は、このような点に鑑み、上記のような蒸気滅菌器において、特定の条件下では
、不用意なハンドル操作によって蓋が開かれないようにするための安全装置を提供する。
そして、構造的には、比較的簡単な部品の追加にて、ハンドル操作によって蓋を開くこと
ができない密閉保持装置（インターロック機構）を設けるものである。このインターロッ
ク機構は、例えば滅菌動作が開始した後は、チャンバー内の圧力が上昇した状態であれば
、ハンドルの操作によって蓋を開くことができないようにして、上記のような危険を回避
できる技術を提供するものである。特に、蓋の密閉保持装置（インターロック機構）を備
えない既存の上記のような蒸気滅菌器に対しても、若干の改良によって、その安全性を容
易に向上させることができる有効な技術を提供するものである。
【課題を解決するための手段】
【０００６】
本発明の蒸気滅菌器は、本体部の上面に開口した縦型チャンバーと、前記開口周縁部に
密着する環状パッキンを備えて前記開口を開閉する蓋と、前記本体部の上面に前記開口を
挟む位置に支持部と抑え部が配置され自由端が前記抑え部に対して上下動可能になるよう
他端部が前記支持部に横方向回動可能に支持されたアームと、上端部にハンドルを備え下
端部に前記蓋を支持し中間部に形成した螺子部が前記アームを上下に貫通形成した螺子部
に螺合するハンドル軸を有し、前記ハンドルの回転に伴う前記ハンドル軸の回転によって
生じる前記アームの自由端の上動が前記抑え部により制限されると共に前記蓋の下動によ
り前記開口が密閉され、前記チャンバー内で被滅菌物を蒸気にて滅菌する蒸気滅菌器にお
いて、  非通電にて突出し通電にて退避するロックピンを備え前記ロックピンの突出にて
前記ハンドルの回転を阻止するロックソレノイド装置を備え、
前記蓋が前記開口を密閉した状態において、前記ロックソレノイド装置の非通電による
前記ロックピンの突出にて、前記蓋を開く方向への前記ハンドルの回転が阻止されること
を特徴とする。
【０００７】
また、本発明の蒸気滅菌器は、本体部の上面に開口した縦型チャンバーと、前記開口周
縁部に密着する環状パッキンを備えて前記開口を開閉する蓋と、前記本体部の上面に前記
開口を挟む位置に支持部と抑え部が配置され自由端が前記抑え部に対して上下動可能にな
るよう他端部が前記支持部に横方向回動可能に支持されたアームと、上端部にハンドルを
備え下端部に前記蓋を支持し中間部に形成した螺子部が前記アームを上下に貫通形成した
螺子部に螺合するハンドル軸を有し、前記ハンドルの回転に伴う前記ハンドル軸の回転に
よって生じる前記アームの自由端の上動が前記抑え部により制限されると共に前記蓋の下
動により前記開口が密閉され、前記チャンバー内で被滅菌物を蒸気にて滅菌する蒸気滅菌
器において、
前記支持部を中心とした前記アームの横方向回動により前記蓋が前記開口の上方位置に
あることを検出する第１検出スイッチと、
前記抑え部に設けられ前記アームの自由端の上動位置を検出する第２検出スイッチと、
非通電にて突出し通電にて退避するロックピンの作用にて前記蓋が前記開口を密閉した
状態に前記ハンドルの回転を阻止するロックソレノイド装置とを備え、
前記蓋が前記開口を外れた位置から前記開口の上方位置へ移動したことを前記第１検出
スイッチが検出し、前記アームの自由端の上動位置を前記第２検出スイッチが検出した状
態で前記ロックソレノイド装置を非通電とすることで、前記ロックピンの突出にて前記ハ
ンドルの回転を阻止し前記蓋が前記開口を密閉した状態に維持されることを特徴とする。
【０００８】
また、本発明の蒸気滅菌器は、本体部の上面に開口した縦型チャンバーと、前記開口周
縁部に密着する環状パッキンを備えて前記開口を開閉する蓋と、前記本体部の上面に前記
開口を挟む位置に支持部と抑え部が配置され自由端が前記抑え部に対して上下動可能にな
るよう他端部が前記支持部に横方向回動可能に支持されたアームと、上端部にハンドルを
備え下端部に前記蓋を支持し中間部に形成した螺子部が前記アームを上下に貫通形成した
螺子部に螺合するハンドル軸を有し、前記ハンドルの回転に伴う前記ハンドル軸の回転に
よって生じる前記アームの自由端の上動が前記抑え部により制限されると共に前記蓋の下
動により前記開口が密閉され、前記チャンバー内で被滅菌物を蒸気にて滅菌する蒸気滅菌
器において、
前記支持部を中心とした前記アームの横方向回動により前記蓋が前記開口の上方位置に
あることを検出する第１検出スイッチと、
前記抑え部に設けられ前記アームの自由端の上動位置を検出する第２検出スイッチと、
非通電にて突出し通電にて退避するロックピンの作用にて前記蓋が前記開口を密閉した
状態に前記ハンドルの回転を阻止するロックソレノイド装置と、
前記ロックピンの作動を検出する第３検出スイッチとを備え、
前記蓋が前記開口を外れた位置から前記開口の上方位置へ移動したことを前記第１検出
スイッチが検出し、前記アームの自由端の上動位置を前記第２検出スイッチが検出した状
態で滅菌動作開始スイッチの作動により前記ロックソレノイド装置が非通電となり前記ロ
ックピンの突出にて前記ハンドルの回転が阻止されて前記蓋が前記開口を密閉した状態に
維持され、
前記ロックピンの突出にて前記第３検出スイッチが作動して滅菌動作がスタートするこ
とを特徴とする。
【０００９】
更に、本発明の蒸気滅菌器は、本体部の上面に開口した縦型チャンバーと、前記開口周
縁部に密着する環状パッキンを備えて前記開口を開閉する蓋と、前記本体部の上面に前記
開口を挟む位置に支持部と抑え部が配置され、自由端が前記抑え部に対して上下動可能に
なるよう他端部が前記支持部に横方向回動可能に支持されたアームと、上端部にハンドル
を備え下端部に前記蓋を支持し中間部に形成した螺子部が前記アームを上下に貫通形成し
た螺子部に螺合するハンドル軸を有し、前記ハンドルの回転に伴う前記ハンドル軸の回転
によって生じる前記アームの自由端の上動が前記抑え部により制限されると共に前記蓋の
下動により前記開口が密閉され、前記チャンバー内で被滅菌物を蒸気にて滅菌する蒸気滅
菌器において、
前記支持部を中心とした前記アームの横方向回動により前記蓋が前記開口の上方位置に
あることを検出する第１検出スイッチと、
前記抑え部に設けられ前記アームの自由端の上動位置を検出する第２検出スイッチと、
非通電にて突出し通電にて退避するロックピンの作用にて前記蓋が前記開口を密閉した
状態に前記ハンドルの回転を阻止するロックソレノイド装置と、
前記ロックピンの作動を検出する第３検出スイッチと、
前記チャンバー内の圧力検知部を備え、
前記ロックソレノイド装置は前記蒸気滅菌器の電源投入にて通電されて前記ロックピン
が退避した状態であり、
前記蓋が前記開口を外れた位置から前記開口の上方位置へ移動したことを前記第１検出
スイッチが検出し、前記アームの自由端の上動位置を前記第２検出スイッチが検出した状
態で滅菌動作スタートスイッチの作動により前記ロックソレノイド装置が非通電となり前
記ロックピンの突出にて前記ハンドルの回転が阻止されて前記蓋が前記開口を密閉した状
態に維持され、
前記ロックピンの突出にて前記第３検出スイッチが作動して滅菌動作がスタートし、
滅菌動作終了に伴う前記チャンバー内の圧力低下が前記圧力検知部により検出されたと
き、前記ロックソレノイド装置の通電にて前記ロックピンが退避して前記ハンドルを回転
可能状態とすることを特徴とする。
【発明の効果】
【００１０】
本発明によって、蓋がチャンバーの開口を密閉した状態において、ロックソレノイド装
置の非通電によるロックピンの突出によって、蓋を開く方向へのハンドルの回転が阻止さ
れるため、ハンドル操作によって蓋を開くことができないので安全である。特に、滅菌動
作が開始した後の滅菌動作中は勿論のこと、チャンバー内の圧力が上昇した状態であれば
、ハンドルの操作によって蓋を開けば、蒸気が流出して危険であるが、本発明ではそれを
回避でき、安全確保ができるものとなる。また、既に使用中である既存の蒸気滅菌器に対
して、本発明の蓋の密閉保持装置を追加することによって、既存の蒸気滅菌器の安全性を
容易に向上させることができるものとなり、既存の蒸気滅菌器の買い替えなしに安全に継
続使用が可能となり、経費節減効果も十分発揮できるものとなる。
【図面の簡単な説明】
【００１１】
【図１】本発明に係る蒸気滅菌器の蓋密閉保持状態における全体斜視図である。（実施例１）
【図２】本発明に係る蒸気滅菌器の蓋を開いて横に回動させた状態を示す斜視図である。（実施例１）
【図３】本発明に係る蒸気滅菌器の蓋密閉保持状態における平面図である。（実施例１）
【図４】本発明に係る蒸気滅菌器の蓋を閉じた状態から横に回動させた状態を示す平面図である。（実施例１）
【図５】本発明に係る蒸気滅菌器の蓋、アーム及びハンドルの関係を示す分解斜視図である。（実施例１）
【図６】本発明に係る蒸気滅菌器のハンドルを回転させて蓋を閉じた状態のハンドル軸中心部での縦断面図である。（実施例１）
【図７】本発明に係る蒸気滅菌器の第１検出スイッチ部分とアームの支持部側の構成を示す下方向斜視図である。（実施例１）
【図８】本発明に係る蒸気滅菌器の蓋を閉じた状態でロックソレノイド装置がハンドルの回転を阻止している状態を示す斜視図である。（実施例１）
【図９】本発明に係る蒸気滅菌器の第２の実施例として、ロックソレノイド装置とそれへの給電部の縦断面図である。（実施例２）
【図１０】図９におけるアームの支持部側の具体的な構成を示す縦断面図である。（実施例２）
【図１１】図１０におけるアームの支持部側の断面図である。（実施例２）
【図１２】アームの横方向回動により蓋がチャンバーの上面開口の上方位置にあることを検出する第１検出スイッチの作動機構の他の実施形態を示す。（実施例３）
【発明を実施するための形態】
【００１２】
［実施例１］
本発明の実施例を図面に基づいて説明する。本発明の蒸気滅菌器１は、本体部２の上面
に開口３した円筒形状の縦型チャンバー４と、開口３の周縁部に密着する環状パッキン６
を備えて開口３を開閉する蓋５を備え、更に、本体部２の上面に開口３を挟む位置に支持
部７と抑え部８が配置され、自由端である一端部９Ａが抑え部８に対して上下動可能にな
るよう支持端である他端部９Ｂが支持部７に横方向回動可能に支持されたアーム９と、上
端部にハンドル１０を備え下端部に蓋５を回転可能に支持し中間部に雄螺子として形成し
た螺子部１１がアーム９を上下に貫通するよう雌螺子として形成した螺子部１２に螺合す
るハンドル軸１３を有している。支持部７は、本体部２の上面を形成する上面板２Ｐの下
側からボルトネジ４４によって上面板２Ｐに固定されており、抑え部８も同様の取り付け
構造である。
【００１３】
ハンドル１０は、Ａ、Ｂ、Ｃ、Ｄの四辺からなる矩形環状の操作部と、ハンドル１０の
中央部をハンドル軸１３に取り付けるために、操作部の対向する二辺Ａ、Ｂに渡るように
装飾板を形成する取り付け部１０Ｓが設けられ、取り付け部１０Ｓの中央基部１０Ｓ１が
螺子などにてハンドル軸１３に取り付けられ、ハンドル１０とハンドル軸１３が一体化さ
れた構成である。
【００１４】
アーム９は、その支持端９Ｂが、支持部７にナット４３によって取り付けられて、横方
向回動可能、且つアーム９の自由端９Ａが上動（上方向移動）可能に支持されており、支
持部７を軸としてアーム９を所定の横方向に回動させることができる。このため、蓋５が
チャンバー４内の上面開口３の上方に離れた位置へ上昇した状態において、アーム９を所
定の横方向に回動させることにより、それに伴って蓋５が所定の横方向に回動するため、
図２及び図４に示すように、チャンバー４内の上面開口３を外れた位置へ蓋５を移動でき
、チャンバー４内への被滅菌物の収容、及びチャンバー４内からの被滅菌物の取り出しが
可能となる。
【００１５】
チャンバー４内へ被滅菌物を収容し、蓋５がチャンバー４内の上面開口３の上方位置と
なるようにアーム９を回動させると共に、アーム９の自由端９Ａを抑え部８に嵌め込む。
抑え部８は、一方向に受入口８Ｂを開放した構成であり、アーム９の回動によってアーム
９の自由端９Ａは、この受入口８Ｂから侵入し、この受入口８Ｂの奥側に設けた停止部８
Ｃに衝突した位置に保持される。この状態で、蓋５はチャンバー４内の上面開口３の真上
位置となる。
【００１６】
そして、ハンドル１０の一方向回転（正方向回転ともいう）と共に回転するハンドル軸
１３の一方向回転によって、抑え部８に対するアーム９の自由端９Ａが上動（上方向移動
）し、抑え部８の上辺８Ａによってこの上動（上方向移動）が制限され、この制限された
状態からハンドル１０の更なる回転に伴って蓋５が下動するため、環状パッキン６がチャ
ンバー４の上面開口３に当接しつつ圧縮され、蓋５によってチャンバー４の上面開口３が
密閉される。この密閉状態において、所期の滅菌動作が行われる。なお、ハンドル１０の
逆方向回転に伴うハンドル軸１３の逆方向回転によって、蓋５を開くことができる。
【００１７】
このような蒸気滅菌器１において、チャンバー４内の圧力が上昇した状態において、ハ
ンドル１０の操作によって蓋５が開けば、蒸気が流出して危険である。本発明は、この危
険を回避するために、蓋５の密閉保持装置（インターロック機構）を提供するものであり
、先ずその基本構成を記載する。
【００１８】
本発明の蒸気滅菌器１の蓋５の密閉保持装置（インターロック機構）の基本構成は、非
通電・通電にてロックピン２１を突出・退避作動するロックソレノイド装置２０を備え、
蓋５がチャンバー４の上面開口３を密閉した状態において、ハンドル１０の操作によって
蓋５を開くことができないようにするために、蓋５がチャンバー４の上面開口３を密閉し
た状態においては、ロックソレノイド装置２０の非通電によりロックピン２１が突出して
、蓋５を開く方向へのハンドル１０の回転が阻止されるものである。
この基本構成を採用した具体的な実施態様を以下に記載する。
【００１９】
先ず、この基本構成を採用した蒸気滅菌器１の実施態様について説明する。蒸気滅菌器
１は、支持部７を中心としたアーム９の横方向回動により、蓋５が開口３の上方位置にあ
ることを検出する第１検出スイッチ１９と、抑え部８に設けられアーム９の自由端９Ａの
上動位置を検出する第２検出スイッチ１５と、非通電にて突出し通電にて退避するロック
ピン２１の作用にて蓋５が開口３を密閉した状態を保持するように、ハンドル１０の回転
を阻止するロックソレノイド装置２０とを備えている。そして、ロックソレノイド装置２
０の通電状態において、蓋５が開口３を外れた位置から開口３の上方位置へ移動したこと
を第１検出スイッチ１９が検出し、アーム９の自由端９Ａの上動位置を第２検出スイッチ
１５が検出した状態でのロックソレノイド装置２０の非通電により、ロックピン２１の突
出にてハンドル１０の回転が阻止されて蓋５が開口３を密閉した状態に維持される構成で
ある。
【００２０】
上記において、蓋５が開口３の上方位置へ移動したことを第１検出スイッチ１９が検出
し、アーム９の自由端９Ａの上動位置を第２検出スイッチ１５が検出したことにより、ロ
ックソレノイド装置２０が非通電となるようにしてもよいが、実施例では、蓋５が開口３
の上方位置へ移動したことを第１検出スイッチ１９が検出し、アーム９の自由端９Ａの上
動位置を第２検出スイッチ１５が検出した状態で、滅菌動作開始指令によってロックソレ
ノイド装置２０が非通電となるようにしている。
【００２１】
滅菌動作開始指令は、後述のように、コントロールボックス２Ａに設けたスタートボタ
ン２３のＯＮ操作により、それに対応したコントロールボックス２Ａ内のスタートスイッ
チが作動（この場合はスイッチＯＮ）することによって発せられる。また、上記コントロ
ールボックス２Ａには、蒸気滅菌器１の動作モードの選択、動作条件の設定等のためのス
イッチ操作部が配置され、これに関連する制御回路を有する制御部（図示せず）等が収容
されている。
【００２２】
図２などには、コントロールボックス２Ａの上面に配置したスイッチ操作部等の配置構
成の一つを示している。図において、２３はスタートボタン、２６は電源スイッチボタン
、２７はリセットスイッチボタン、２８は温度設定スイッチボタン、２９は時間設定スイ
ッチボタン、３０はＯＮ（押す）ごとに温度または時間をアップ（増加）させるアップス
イッチボタン、３１はＯＮ（押す）ごとに温度または時間をダウン（減少）させるダウン
スイッチボタンである。３２は温度設定スイッチボタン２８、時間設定スイッチボタン２
９、アップスイッチボタン３０、及びダウンスイッチボタン３１によって設定した温度お
よび時間を表示する表示部である。３３は圧力検知部（圧力センサとも称する）２２で検
出したチャンバー４内の圧力を表示する圧力計である。
【００２３】
蒸気滅菌器１の滅菌条件である温度設定を行う場合は、温度設定スイッチボタン２８を
ＯＮし、アップスイッチボタン３０及びダウンスイッチボタン３１によって滅菌温度を設
定する。また滅菌条件である時間設定を行う場合は、時間設定スイッチボタン２９をＯＮ
し、アップスイッチボタン３０及びダウンスイッチボタン３１によって滅菌時間を設定す
る。設定のやり直しは、リセットスイッチボタン２７をＯＮした後、再度上記の操作によ
って滅菌温度及びまたは滅菌時間を設定する。
【００２４】
ロックソレノイド装置２０の非通電により、ロックピン２１の突出にてハンドル１０の
回転を阻止する構成は種々考えられるが、その一つの構成を図に基づき説明する。図にお
いて、ハンドル１０と一体化するように、ハンドル軸１３を中心としてロック受け部材１
６が、取り付け部１０Ｓの中央基部１０Ｓ１に一体的に設けられている。ロック受け部材
１６は、中央基部１０Ｓ１と一体成形でもよく、また別個のものを中央基部１０Ｓ１に取
り付ける構成でもよい。この構成において、蓋５が開口３を閉じた状態で、ロックソレノ
イド装置２０の非通電によりロックピン２１が突出し、突出したロックピン２１がロック
受け部材１６に形成した係止孔１６Ａに侵入して、ハンドル１０の回転による蓋５の開放
動作が阻止される。
【００２５】
蒸気滅菌器１の電源スイッチ（図示せず）のＯＮ等によって、蒸気滅菌器１へ電源が印
加された状態（電源投入状態）になる。この電源印加によって、ロックソレノイド装置２
０のコイル２０Ａに通電され、コイルスプリング２５に抗して（コイルスプリング２を圧
縮して）ロックピン２１が吸引位置へ引っ込む（図では下方へ移動する）。この状態にお
いて、図２及び図４に示すように、チャンバー４内の上面開口３を外れた位置へ蓋５を移
動してチャンバー４内へ被滅菌物を収容することができる。
【００２６】
上記のように、コントロールボックス２Ａに設けられているスイッチ操作部の操作によ
って、蒸気滅菌器１の滅菌条件が設定される。滅菌条件を設定した後、図３のように、蓋
５がチャンバー４内の上面開口３の上方位置となるようにアーム９を回動させると共に、
アーム９の自由端９Ａを抑え部８に嵌め込む。抑え部８は、一方向に受入口８Ｂを開放し
た構成であり、アーム９の回動によってアーム９の自由端９Ａは、この受入口８Ｂから侵
入し、この受入口８Ｂの奥側に設けた停止部８Ｃに衝突した位置に保持される。この状態
で、蓋５はチャンバー４内の上面開口３の真上位置となる。
【００２７】
第１検出スイッチ１９は、蓋５が開口３の上方位置にあることを検出するためのもので
あり、支持部７を中心としたアーム９の横方向回動により、ＯＮ−ＯＦＦ動作する。具体
的には図７に示すように、第１検出スイッチ１９は、支持部７の下方位置において、本体
部２の上面を形成する上面板２Ｐの下側に取り付けた支持板１７の側面に取り付けられて
いる。第１検出スイッチ１９の作動部１９Ａの上方には、コイルバネ３６によって上方へ
付勢されたスイッチ作動棒３５が、支持板１７から水平方向へ延びた上下のガイド板１７
Ａ、１７Ｂに、垂直方向に上下動可能に支持されている。コイルバネ３６によって上方へ
付勢されたスイッチ作動棒３５は、本体部２の上面板２Ｐと支持部７の基部を貫通して、
その先端３５Ａが、アーム９の横方向回動軌跡上となる位置で、支持部７の基部の上面か
ら若干突出（実施例では２．５ｍｍ突出）しており、蓋５が開口３の真上となる位置へ回
動したアーム９によって、スイッチ作動棒３５が下方へ押されて、第１検出スイッチ１９
が作動する（実施例ではＯＮする）仕組みである。なお、スイッチ作動棒３５は、支持部
７の基部を貫通しているため、作業者の手や被滅菌物などから受ける作用力（外力という
）にて、スイッチ作動棒３５が変形し第１検出スイッチ１９の正規の作動が阻害される、
ということを防止できる。
【００２８】
第１検出スイッチ１９の作動の具体的構成について説明する。図２及び図４に示すよう
に、チャンバー４内の上面開口３を外れた位置へ蓋５を移動した状態では、スイッチ作動
棒３５は、コイルバネ３６によって上方へ付勢されて突出した上限位置にあり、この状態
で、蓋５が開口３の真上となる位置へ向けてアーム９を回動することによって、スイッチ
作動棒３５の丸みを呈する先端３５Ａが、アーム９の支持端９Ｂの下面と側面との丸みを
呈する交差部９Ｃに当接し、この交差部９Ｃに案内されてコイルバネ３６を圧縮しつつス
イッチ作動棒３５が押し下げられ、アーム９の自由端９Ａが受入口８Ｂの奥側に設けた停
止部８Ｃに衝突した位置で、作動棒３５の先端３５Ａがアーム９の下面に入り込んだ位置
となる。スイッチ作動棒３５が下方へ押されるこの一連の動作によって、スイッチ作動棒
３５が第１検出スイッチ１９の作動部１９Ａを押し、第１検出スイッチ１９が作動（実施
例ではＯＮ）する。
【００２９】
次に、第２検出イッチ１５の作動の具体的構成について説明する。図６等に示すように
、抑え部８の上辺８Ａには、第２検出スイッチ１５が設けられているため、アーム９の自
由端９Ａが上動（上方向移動）して抑え部８の上辺８Ａに当接したとき、第２検出イッチ
１５が作動（実施例ではスイッチＯＮ）する仕組みである。
【００３０】
上記のように、アーム９の自由端９Ａが抑え部８に嵌め込まれて停止部８Ｃに衝突した
状態で、蓋５はチャンバー４内の上面開口３の真上位置となる。このように蓋５がチャン
バー４内の上面開口３の真上位置となった状態において、ハンドル１０を正方向回転させ
てハンドル軸１３を正方向回転させることにより、ハンドル軸１３がアーム９に対して下
動（下方向移動）し、蓋５が下動する。蓋５の下動により環状パッキン６がチャンバー４
の上面開口３に当接しつつ圧縮され、上面開口３が閉塞される。この状態から更にハンド
ル１０を正方向回転させることにより、雄螺子１１と螺合する雌螺子部１２の関係によっ
て、アーム９の自由端９Ａが上動（上方向移動）し、遂に抑え部８の上辺８Ａによってこ
の上動（上方向移動）が制限される。この状態から更にハンドル１０を正方向回転させる
ことにより、アーム９を基準とする蓋５の支え状態でもって、環状パッキン６を更に圧縮
しつつハンドル軸１３と共に蓋５が下動（下方向移動）し、環状パッキン６の更なる圧縮
状態となり、チャンバー４内が気密状態となる。抑え部８の上辺８Ａには、第２検出スイ
ッチ１５が設けられているため、アーム９の自由端９Ａが上動（上方向移動）して抑え部
８の上辺８Ａに当接したとき、第２検出スイッチ１５が作動（実施例ではスイッチＯＮ）
する。
【００３１】
上記のように、第１検出スイッチ１９により蓋５がチャンバー４の上面開口３の真上位
置となったことを検出し、且つ第２検出スイッチ１５により蓋５がチャンバー４の上面開
口３を密閉したことを検出した状態で、コントロールボックス２Ａに設けたスタートボタ
ン２３をＯＮ操作することにより、それに対応したコントロールボックス２Ａ内のスター
トスイッチが作動（この場合はスイッチＯＮ）し、滅菌動作開始指令が発せられる。この
滅菌動作開始指令を受けて、制御部（図示せず）によってロックソレノイド装置２０が非
通電となり、それによってロックピン２１がコイルスプリング２５によって上方へ突出し
、突出したロックピン２１がロック受け部材１６に形成した係止孔１６Ａに侵入して、ハ
ンドル１０の回転による蓋５の開放動作が阻止される。
【００３２】
本発明の蒸気滅菌器１は、上記基本構成を採用した第１の実施態様の構成に加えて、ロ
ックソレノイド装置２０によってハンドル１０がロックされたことを検出した状態で滅菌
工程に入るが、ロックソレノイド装置２０によってハンドル１０がロックされていない場
合は、滅菌工程に入らないようにして、安全対策を講じている。この技術として、ハンド
ル１０の回転による蓋５の開放動作が阻止された状態の検出に、第３検出スイッチ２４が
設けられている。
【００３３】
ロックソレノイド装置２０と第３検出スイッチ２４の関係は、図８に示すように、アー
ム９を前後から挟むようにアーム９に取り付けた支持板１８の取り付け部１８Ａに、略垂
直にロックピン２１が向くようにロックソレノイド装置２０が取り付けられ、ロックピン
２１と一体に設けた環状の作動部２１Ａに対して、第３検出スイッチ２４の作動部２４Ａ
の先端部２４Ａ１が対応するように、第３検出スイッチ２４が支持板１８の取り付け部１
８Ａに取り付けられている。
【００３４】
この構成によって、図８に示すように、突出したロックピン２１がロック受け部材１６
に形成した係止孔１６Ａに侵入したことにより、ロックピン２１の作動部２１Ａが第３検
出スイッチ２４の作動部２４Ａを押し、第３検出スイッチ２４が作動する（実施例ではＯ
Ｎする）。第３検出スイッチ２４が作動（この場合はスイッチＯＮ）したことにより、前
記制御部（図示せず）によって、設定した滅菌条件に従って、滅菌動作がスタート（開始
）する。
【００３５】
滅菌動作の開始によって、チャンバー４内に自動的に所定量の水が注水される。なお、
予めチャンバー４内に所定量の水を溜めておく構成でもよい。また、この滅菌動作の開始
によって、チャンバー４内底部に設けたヒータ（図示せず）に通電され、チャンバー４内
の水が加熱蒸発し、制御部（図示せず）によって滅菌動作が進行し、所定の滅菌工程、チ
ャンバー４内の排気工程等、所定の工程を行なって滅菌動作が終了する。
【００３６】
本発明の蒸気滅菌器１は、更に安全対策の構成である。即ち、蒸気滅菌器１は、チャン
バー４内の圧力を検知する圧力検知部（圧力センサとも称する）２２を備えている。これ
は、チャンバー４内の排気工程によって、チャンバー４内が安全な圧力低下状態になった
とき、ハンドル１０の操作にて蓋５を開くことができるようにしている。具体的には、滅
菌動作の一連の動作であるチャンバー４内の排気工程によって、チャンバー４内が安全な
圧力低下状態（実施例ではゼロ気圧・・・大気圧）になったことを圧力検知部（圧力セン
サとも称する）２２が検出することによって、前記制御部（図示せず）によってロックソ
レノイド装置２０が通電状態となり、ロックピン２１が吸引されてロック受け部材１６に
形成した係止孔１６Ａから退避し、開口３を開くために蓋５を上昇させるようにハンドル
１０が逆回転可能状態となる。ハンドル１０の逆回転によって、蓋５が上方へ移動してチ
ャンバー４の上面開口３から離れる。この状態で、アーム９を回動させて蓋５をチャンバ
ー４の上面開口３から外れた位置へ移動させ、チャンバー４内の被滅菌物の取り出しを行
なうことができる。
【００３７】
上記のように、第１検出スイッチ１９、第２検出スイッチ１５、第３検出スイッチ２４
が、第１検出スイッチ１９、第２検出スイッチ１５、第３検出スイッチ２４の順に作動し
たとき、滅菌動作が開始するように前記制御部（図示せず）によって制御し、この順序に
よらない場合は滅菌動作が開始されないように前記制御部（図示せず）によって制御すれ
ば、安全動作が達成できる蒸気滅菌器１となる。この場合、滅菌動作が開始しないときは
、前記制御部（図示せず）によって警告ランプの点灯またはブザーの作動等の警報装置に
よって警告すれば、使用者はそれに気付き、前記電源スイッチを一旦ＯＦＦした後ＯＮす
るか、リセットスイッチがあればそれをＯＮすることにより、最初から操作をやり直すこ
とができる。
【００３８】
なお、蓋５とハンドル軸１３との連結は、ハンドル軸１３の回転に伴って蓋５が回転す
るものでもよいが、この場合は環状パッキン６が上面開口３の縁部との摩擦によって、環
状パッキン６が破損し易くなる。これを解決するために、図６に示すように、ハンドル軸
１３の回転に伴って蓋５が回転しないように、ハンドル軸１３の下端に形成した環状の係
合部１３Ａが蓋５の中心部の係合部５Ａに遊嵌状態であり、これによって両者の連結が回
転フリーの構成となっている。具体的には、係合部５Ａは、側面からねじ込まれたネジ５
Ｐが内方へ突出し、このネジ５Ｐがハンドル軸１３の係合部１３Ａに侵入係合することに
より、ハンドル軸１３の回転に伴って蓋５が回転しない状態で、蓋５がハンドル軸１３に
支持されている。このため、ハンドル軸１３の回転に伴って蓋５は上下方向移動するが、
蓋５は回転しない構成である。
【００３９】
上記では、チャンバー４内の上面開口３を外れた位置へ蓋５を移動してチャンバー４内
へ被滅菌物を収容した状態で、コントロールボックス２Ａに設けられているスイッチ操作
部の操作によって、蒸気滅菌器１の動作モードの選択、動作条件の設定によって、滅菌条
件を設定している。これに替わって、スイッチ操作部の操作によって滅菌条件を設定した
後、チャンバー４内の上面開口３を外れた位置へ蓋５を移動してチャンバー４内へ被滅菌
物を収容するようにしてもよい。
【００４０】
ロック受け部材１６、支持板１８、ロックソレノイド装置２０、第３検出スイッチ２４
は、外部から見えないように、アーム９の前後からそれぞれ前後の支持板１８にネジにて
取り付けた前後の装飾カバー３７によって覆われている。また、ロックソレノイド装置２
０及び第３検出スイッチ２４への給電用リード線３８、３８は、コントロールボックス２
Ａ内に配置した制御部（図示せず）の基板から本体部２内を経て本体部２の上面板２Ｐを
貫通して支持部７近傍を通り、アーム９に沿ってアーム９の下面に形成した溝４０内に収
容され、アーム９の下面にネジ４８にて取り付けられるカバー板４１で覆われた状態で配
線されている。これによって、何らかの状況によってアーム９の上方から水滴が降りかか
っても、リード線３８をその水滴から保護することができる。また、リード線３８は、本
体部２の上面板２Ｐを貫通してアーム９の溝４０へ至る部分が、ゴムなどの可撓性カバー
３９で覆われて保護されており、アーム９の左右方向への回動に余裕をもって対応できる
ように、途中の部分が動き得る状態に保持環４２によって支持されている。
【００４１】
次に、蒸気滅菌器１の制御動作を以下に説明する。電源スイッチボタン２６のＯＮ操作
によって、蒸気滅菌器１の電源が印加された状態（電源投入状態）になる。この状態で、
ロックソレノイド装置２０は通電の状態である。このため、ロックピン２１がコイルスプ
リング２５を圧縮して下方へ吸引された状態であり、ロックピン２１がロック受け部材１
６よりも下方位置となっている。
【００４２】
この状態において、図２及び図４に示すように、支持部７を軸としてチャンバー４内の
上面開口３を外れた位置へ蓋５を移動してチャンバー４内へ被滅菌物を収容する。被滅菌
物を収容した後、上記のように、コントロールボックス２Ａの上面に配置したスイッチ操
作部の操作によって、蒸気滅菌器１の動作条件である滅菌温度及び滅菌時間を設定する。
この滅菌の動作条件の設定は、上記のように被滅菌物を収容する前に行なってもよい。そ
して、蓋５がチャンバー４内の上面開口３の上方位置となるようにアーム９を回動させる
ことにより、第１検出イッチ１９が作動（この場合スイッチＯＮ）する。これと共に、ア
ーム９の自由端を抑え部８に嵌め込む。抑え部８は一方向に受入口８Ｂを開放した構成で
あり、アーム９の回動によってアーム９の自由端は、この受入口８Ｂから侵入し、この受
入口８Ｂの奥側に設けた停止部８Ｃに衝突した位置に保持される。この状態で、蓋５はチ
ャンバー４内の上面開口３の真上位置となる。
【００４３】
この状態で、ハンドル１０を正方向回転させてハンドル軸１３を正方向回転させること
により、ハンドル軸１３がアーム９に対して下動（下方向移動）し、蓋５が下動する。蓋
５の下動により環状パッキン６がチャンバー４の上面開口３に当接しつつ圧縮され、上面
開口３が閉塞される。この状態から更にハンドル１０を正方向回転させることにより、雄
螺旋１１と螺合する雌螺旋部１２の関係によって、アーム９の自由端が上動（上方向移動
）し、抑え部８の上辺８Ａによってこの上動（上方向移動）が制限される。この状態から
更にハンドル１０を正方向回転させることにより、アーム９を基準とする支え状態でもっ
て、環状パッキン６を更に圧縮しつつハンドル軸１３と共に蓋５が下動（下方向移動）し
、環状パッキン６の更なる圧縮状態となり、チャンバー４内が気密状態となる。アーム９
の自由端が上動（上方向移動）して抑え部８の上辺８Ａに当接したとき、第２検出イッチ
１５が作動（この場合はスイッチＯＮ）する。
【００４４】
上記のように、第１検出スイッチ１９により蓋５がチャンバー４の上面開口３の真上位
置となったことを検出し、且つ第２検出スイッチ１５により蓋５がチャンバー４の上面開
口３を閉じたことを検出した状態で、コントロールボックス２Ａに設けたスタートボタン
２３をＯＮ操作することにより、それに対応したコントロールボックス２Ａ内のスタート
スイッチが作動（この場合はスイッチＯＮ）し、滅菌動作開始指令が発せられる。この滅
菌動作開始指令を受けて、コントロールボックス２Ａ内に配置した制御部（図示せず）に
よって、図８に示すように、ロックソレノイド装置２０が非通電となり、それによってロ
ックピン２１がコイルスプリング２５によって上方へ突出し、突出したロックピン２１が
ロック受け部材１６に形成した係止孔１６Ａに侵入して、ハンドル１０の回転による蓋５
の開放動作が阻止される。
【００４５】
突出したロックピン２１がロック受け部材１６に形成した係止孔１６Ａに侵入したこと
により、ロックピン２１の作動部２１Ａが第３検出スイッチ２４の作動部２４Ａを押し、
第３検出スイッチ２４が作動する（実施例ではＯＮする）。第３検出スイッチ２４が作動
（この場合はスイッチＯＮ）したことにより、前記制御部（図示せず）によって、設定し
た動作条件に従って、滅菌動作がスタート（開始）する。
【００４６】
滅菌動作の開始によって、チャンバー４内に自動的に所定量の水が注水され、以後、上
記実施例１に記載した順序の動作が行なわれ、滅菌動作の一連の動作であるチャンバー４
内の排気工程によって、チャンバー４内が安全な圧力低下状態（実施例ではゼロ気圧・・
・大気圧）になったことを圧力検知部（圧力センサとも称する）２２が検出する。この圧
力を圧力検知部２２が検知したことにより（且つチャンバー４内の温度が安全な所定温度
以下に低下したことを図示しない温度センサが検知したことを条件とすることもできる）
、制御部（図示せず）によってロックソレノイド装置２０が通電状態となる。これによっ
て、ロックピン２１が吸引されてロック受け部材１６に形成した係止孔１６Ａから退避し
、開口３を開くために蓋５を上昇させるようにハンドル１０が逆回転可能状態となる。
【００４７】
滅菌動作の終了によりチャンバー４内の圧力が所定値以下に低下した状態で、表示部３
２に滅菌動作の終了を知らせる表示が出る。この表示は、例えば、「滅菌動作の終了」の
文字等で表示部３２に表示される。また、このときのチャンバー４内の圧力は、圧力計３
３の表示を見て安全確認ができる。このような表示によって滅菌動作の終了が確認できる
ため、ハンドル１０の逆回転操作を行うことにより、蓋５が上方へ移動してチャンバー４
の上面開口３から離れる。この状態で、アーム９を回動させて蓋５をチャンバー４の上面
開口３から外れた位置へ移動させ、チャンバー４内の被滅菌物の取り出しを行なうことが
できる。
【００４８】
上記のように、実施例では、滅菌動作が開始した後は、滅菌動作中は勿論のことチャン
バー４内の圧力が上昇した状態であれば、ロックソレノイド装置２０によってハンドル１
０の回転により蓋５を開くことができないように維持できるため、蒸気の流出による危険
を回避できる。そして、チャンバー４内の圧力が所定値以下（実施例ではゼロ気圧・・・
大気圧）に低下すれば、ハンドル１０の回転により蓋５を開くことができるため、チャン
バー４内の圧力が高いときに蓋５が開かれることにより生じる蒸気の流出による危険を回
避できる。また、既に使用中である蒸気滅菌器に対して、本発明の蓋５の密閉保持装置を
追加することによって、既存の蒸気滅菌器の安全性を容易に向上させることができるもの
となり、既存の蒸気滅菌器の買い替えなしに安全に継続使用が可能となり、経費節減効果
も十分発揮できるものとなる。
【００４９】
上記実施例では、停電などにより蒸気滅菌器１の電源が切れたときの安全対策も講じら
れている。即ち、蒸気滅菌器１が滅菌動作中はチャンバー４内の圧力が高いため、この状
態において蒸気滅菌器１の電源が切れた場合、そのとき蓋５が開かれればチャンバー４内
の上記が噴出して危険である。そのために、蒸気滅菌器１の電源が切れたときは、ロック
ソレノイド装置２０がＯＦＦ（非通電）となって、ロックピン２１がロック受け部材１６
の係止孔１６Ａに嵌った状態を維持することにより、この危険を回避できるものとなる。
【００５０】
［実施例２］
図９乃至図１１には、ロックソレノイド装置２０及び第３検出スイッチ２４への給電構
造の他の実施例を示している。図１乃至図８と同様部分には同一符号を付している。図９
乃至図１１において、支持部７を取り囲むようにアーム９の支持端９Ｂに環状カバー４５
（カラー４５とも称する）が、ネジ４９によって取り付けられている。この環状カバー４
５の取り付けによって、支持部７と環状カバー４５との間に、環状の空間４６が形成され
る。
【００５１】
ロックソレノイド装置２０及び第３検出スイッチ２４への給電用リード線３８、３８は
、コントロールボックス２Ａ内に配置した制御部（図示せず）の基板から本体部２内を経
て、本体部２の上面板２Ｐに支持部７に沿って形成した円弧状の長孔４７を貫通し、支持
部７と環状カバー４５との間の空間４６を通り、アーム９に沿ってアーム９の下面に形成
した溝４０内に収容され、アーム９の下面にネジ４８で止められるカバー板４１で覆われ
た状態で配線されている。
【００５２】
これによって、実施例１の構成のようなリード線３８を覆う可撓性カバー３９や保持環
４２なしに、アーム９の左右方向への回動と共に環状カバー４５も回動し、リード線３８
は途中の部分が動き得る状態になり、アーム９の左右方向への回動にて切断されることな
く維持される。なお、他の部分は、上記実施例１と同様であるため、上記実施例１の説明
を援用するものとする。
【００５３】
［実施例３］
図１２には、支持部７を中心としたアーム９の横方向回動により、蓋５が上面開口３の
上方位置にあることを検出する第１検出スイッチ１９の作動機構に替わる他の実施形態を
示す。図１乃至図８と同様部分には同一符号を付している。
【００５４】
図９乃至図１１と同様に、支持部７を取り囲むようにアーム９の支持端９Ｂに環状カバ
ー４５（カラー４５とも称する）が、ネジ４９によって取り付けられている。この環状カ
バー４５の取り付けによって、支持部７と環状カバー４５との間に、環状の空間４６が形
成される。この環状空間４６内に配置される状態で、支持部７の外周面に第１検出スイッ
チ１９が取り付けられている。また、環状空間４６内に配置される状態で、環状カバー４
５の内面には、スイッチ作動棒３５に替わる部材として、第１検出スイッチ１９の作動部
１９Ａを押して第１検出スイッチ１９を作動（実施例ではＯＮ）するためのスイッチ作動
部材５０が取る付けられている。
【００５５】
この構成によって、支持部７を中心としたアーム９の横方向回動により、蓋５が上面開
口３の上方位置から外れた状態では、図１２に示すように、スイッチ作動部材５０が、第
１検出スイッチ１９の作動部１９Ａから離れた位置にあり、第１検出スイッチ１９はＯＦ
Ｆ状態である。そして、支持部７を中心としたアーム９の横方向回動により、蓋５が上面
開口３の上方位置に移動することに伴って、スイッチ作動部材５０が回動し、第１検出ス
イッチ１９の作動部１９Ａを押して、第１検出スイッチ１９を作動（実施例ではＯＮ）す
る。
【００５６】
この構成によって、第１検出スイッチ１９と第１検出スイッチ１９を作動するスイッチ
作動部材５０が、環状カバー４５によって覆われた状態であるため、外部力による破損や
誤動作もなく、安定した状態を保持できるものとなる。
【産業上の利用可能性】
【００５７】
本発明は、上記実施例に限定されず、縦型チャンバー方式の種々の形態の蒸気滅菌器に
適用できるものであり、本発明の技術範囲において種々の形態を包含するものである。
【符号の説明】
【００５８】
１・・・・・蒸気滅菌器
２・・・・・本体部
２Ａ・・・・コントロールボックス
３・・・・・上面開口
４・・・・・縦型チャンバー
５・・・・・蓋
６・・・・・環状パッキン
７・・・・・支持部
８・・・・・抑え部
９・・・・・アーム
１０・・・・ハンドル
１１・・・・雄螺旋
１２・・・・雌螺旋
１３・・・・ハンドル軸
１５・・・・第２検出スイッチ
１６・・・・ロック受け部
１９・・・・第１検出スイッチ
２０・・・・ロックソレノイド装置
２１・・・・ロックピン
２２・・・・圧力検知部
２３・・・・スタートボタン
２４・・・・第３検出スイッチ
２５・・・・コイルスプリング
２６・・・・電源スイッチボタン
２７・・・・リセットスイッチボタン
２８・・・・温度設定スイッチボタン
２９・・・・時間設定スイッチボタン
３０・・・・アップスイッチボタン
３１・・・・ダウンスイッチボタン
３２・・・・表示部
３３・・・・圧力計
３５・・・・スイッチ作動棒
３６・・・・コイルバネ
３７・・・・装飾カバー
３８・・・・リード線
４０・・・・溝
４１・・・・カバー板
【図１】
2011000360.tif 000003
【図２】
2011000360.tif 000004
【図３】
2011000360.tif 000005
【図４】
2011000360.tif 000006
【図５】
2011000360.tif 000007
【図６】
2011000360.tif 000008
【図７】
2011000360.tif 000009
【図８】
2011000360.tif 000010
【図９】
2011000360.tif 000011
【図１０】
2011000360.tif 000012
【図１１】
2011000360.tif 000013
【図１２】
2011000360.tif 000014